(57)【要約】【課題】  健康的な床暖房システム及び岩盤浴療法・サウナ療法における簡易な健康療法、並びに積雪地における家屋の屋根面の融雪に使用可能な積層材を提供する。【解決手段】遠赤外線・マイナスイオンを放射・発生する天然石粉末に特定樹脂を結合材として混合し糊状とし繊維質シート又は合成樹脂シート上に塗布し、加熱・反応等の加工により遠赤外線・マイナスイオンを容易に放射発生する硬質状シートとし、或いは遠赤外線・マイナスイオンを放射・発生する天然石粉末にセメントと水を結合・反応剤として混合し繊維質シート又は合成樹脂シート上に塗布して硬化させ、遠赤外線・マイナスイオンを容易に放射・発生する硬質状シートとし、これに電気・熱水・蒸気・熱気を熱源とした加熱基材と積層することにより、加熱基材の温度を蓄熱・増幅して加熱効率向上を図ると共に、多量に放射・発生する遠赤外線・マイナスイオンを活用し、健康の増進・融雪機能を持たせる。【選択図】図１
2007327219.tif 000002
【特許請求の範囲】
【請求項１】
遠赤外線・マイナスイオンを放射・発生する天然石粉末に特定樹脂を結合材として混合して糊状とし、繊維質シート又は合成樹脂シート上に塗布し、加熱・反応等の加工により遠赤外線・マイナスイオンを容易に放射発生する硬質状シートとし、これに電気・熱水・蒸気・熱気を熱源とした加熱基材を積層することにより、前記加熱基材の温度を蓄熱・増幅して加熱効率の向上を図るとともに、多量に放射・発生する遠赤外線・マイナスイオンを活用し、健康の増進を図るようにしたことを特徴とする積層材。
【請求項２】
遠赤外線・マイナスイオンを放射・発生する天然石粉末にセメントと水を結合・反応剤として混合し、繊維質シート又は合成樹脂シート上に塗布して硬化させ、遠赤外線・マイナスイオンを容易に放射・発生する硬質状シートとし、これに電気・熱水・蒸気・熱気を熱源とした加熱基材と積層することにより、前記加熱基材の温度を蓄熱・増幅して加熱効率の向上を図るとともに多量に放射・発生する遠赤外線・マイナスイオンを活用し、健康の増進・融雪機能を持たせるようにしたことを特徴とする積層材。
【請求項３】
速赤外線・マイナスイオンを放射・発生する天然石粉末にセメントと水を結合・反応剤として混合し、混合剤を繊維質シート又は合成樹脂シートを平滑性・割れ防止を目的として適宜に使用してボード状に硬化させ、これに電気・熱水・蒸気・熱気を熱源とした加熱基材と積層することにより、前記加熱基材の温度を蓄熱増幅して加熱効率の向上を図るとともに、多量に放射・発生する速赤外線・マイナスイオンを活用し、健康増進・融雪機能を持たせるようにしたことを特徴とした積層材。
【請求項４】
前記天然石粉末の放射遠赤外線の波長は４〜４０ミクロンであることを特徴とした請求項１記載の積層材。
【請求項５】
前記特定樹脂は、ポリウレタン樹脂、アクリル樹脂、インシアネート系樹脂、ポリプロピレン樹脂及びポリエチレン樹脂からなる群から選択された樹脂であることを特徴とする請求項１記載の積層材。
【発明の詳細な説明】
【技術分野】
【０００１】
本発明は、健康的な床暖房システム、岩盤浴療法及びサウナ療法における簡易な健康療法、並びに積雪地における屋根面の融雪に使用可能な積層材に関するものである。
【背景技術】
【０００２】
床暖房は床材下面側に熱水、蒸気、電気、熱気（温風）を熱源とした加熱材を設備し、その上面に、フローリング、畳等の床材を施工している。
又、岩盤浴並びにサウナ療法にあっては、主として、ボイラーによる熱水、大型電気使用した加熱材上へ厚い石材そのものを直接設置して治療している。
又、屋根面の融雪に対しては、屋根面に熱水パイプを設置したり、融雪剤を散布している現状にある。
【発明の開示】
【発明が解決しようとする課題】
【０００３】
従来、床暖房にあっては、床上面への加熱伝導ロス並びに加熱伝導遅延が大きく、更に床廻りの高温・高温によるダニ・カビ・悪臭等の発生が床暖房システム運営の障害となっている。
また、岩盤浴療法、サウナ療法等にあっては、設備・メンテナンスの経済性並びにダニ、カビ、悪臭等の発生が障害となっている。
更に、積雪地における屋根の雪下ろしにともなう危険性や経済性が問題になっている。
【０００４】
本発明の第１の目的は、床暖房加熱基材上に遠赤外線・マイナスイオン放射シートを積層して一体化することにより、床暖房加熱基材のエネルギーを速赤外線の熱線放射が増幅して床上面へ伝導し、加熱エネルギーロスを最小限にとどめるとともに、床廻り周辺のダニ、カビ、悪臭をマイナスイオンと併用された効果により除去し、快適かつ経済的な床暖房システムを構築する積層材を提供することを目的とする。
【０００５】
本発明の第２の目的は、岩盤浴療法、サウナ療法における高額な加熱設備・運用メンテナス費用を、簡易な家庭電気を活用した加熱基材上と遼赤外線・マイナスイオン放射ボードとを積層一体化することにより軽減させ、更には、発汗作用、体内浄化作用等の療法効果を容易に可能とし、生活習慣病予防等のヘルスコントロール効果を得る積層材を提供することを目的とする。
【０００６】
本発明の第３の目的は、屋根面へ加熱シートと速赤外線放射シートを設置することにより容易に経済性をともなった融雪効果が得られるようにする積層材を提供することを目的とする。
【課題を解決するための手段】
【０００７】
本発明における請求項１の積層材は、遠赤外線・マイナスイオンを放射・発生する天然石粉末に特定樹脂を結合材として混合して糊状とし、繊維質シート又は合成樹脂シート上に塗布し、加熱・反応等の加工により遠赤外線・マイナスイオンを容易に放射発生する硬質状シートとし、これに電気・熱水・蒸気・熱気を熱源とした加熱基材を積層することにより、加熱基材の温度を蓄熱・増幅して加熱効率の向上を図るとともに、多量に放射・発生する遠赤外線・マイナスイオンを活用し、健康の増進を図ることを特徴とする。
【０００８】
請求項２の発明は、遠赤外線・マイナスイオンを放射・発生する天然石粉末にセメントと水を結合・反応剤として混合し、繊維質シート又は合成樹脂シート上に塗布して硬化させ、遠赤外線・マイナスイオンを容易に放射・発生する硬質状シートとし、これに電気・熱水・蒸気・熱気を熱源とした加熱基材と積層することにより、加熱基材の温度を蓄熱・増幅して加熱効率の向上を図るとともに多量に放射・発生する遠赤外線・マイナスイオンを活用し、健康の増進・融雪機能を持たせるようにしたことを特徴とする。
【０００９】
請求項３の発明は、速赤外線・マイナスイオンを放射・発生する天然石粉末にセメントと水を結合・反応剤として混合し、混合剤を繊維質シート又は合成樹脂シートを平滑性・割れ防止を目的として適宜に使用してボード状に硬化させ、これに電気・熱水・蒸気・熱気を熱源とした加熱基材と積層することにより、前記加熱基材の温度を蓄熱増幅して加熱効率の向上を図るとともに、多量に放射・発生する速赤外線・マイナスイオンを活用し、健康増進・融雪機能を持たせるようにしたことを特徴とする。
【００１０】
請求項４に記載の発明は、請求項１〜３のいずれか１つに記載の積層材において、前記天然石粉末の放射遠赤外線の波長は４〜４０ミクロンであることを特徴とする。
【００１１】
請求項５の発明は、請求項１記載の積層材において、前記特定樹脂は、ポリウレタン樹脂、アクリル樹脂、インシアネート系樹脂、ポリプロピレン樹脂及びポリエチレン樹脂からなる群から選択された樹脂であることを特徴とする。
【発明の効果】
【００１２】
本発明の積層材は、遼赤外線・マイナスイオンを多く放射する天然石粉末を樹脂もしくはセメント等と混合し、繊維シート又は樹脂シ−トに塗布硬化させ、遠赤外線・マイナスイオン放射シートとし、これを加熱材と積層使用することにより、床暖房にあっては床上面への加熱伝道ロスをを最小限にとどめ且つ床廻りのダニ・カビ・悪臭等の除去し、また、岩盤浴療法やサウナ療法における設備・メンテナンスの経済効果をもたらすと共にダニ、カビ等の悪臭を除去し、そして、降雪地での家屋の屋根面の融雪を可能とすることで、雪下ろしにともなう危険性からの解放・経済効果が図られる。
【発明を実施するための最良の形態】
【００１３】
以下、本発明における積層材の、発明を実施するための最良の形態について実施例を基に説明する。
【実施例１】
【００１４】
（１）天然石の中で最も高い遠赤外線を放出する石英斑岩から４０μの粉末を加工し、エチレン酢酸ビニル樹脂と重量混合比７０:３０の比率で混合攪拌し、均質な混合樹脂粉末とする。  
（２）８０g／ｍ２の寒冷紗木棉シート上へ、上記（１）によって加工した混合樹脂をスプレッダ−を使用し４００g／ｍ２を塗布し、塗布上両面へ４０g／ｍ２のオレフィン樹脂シートを積層し、ホットプレスを使用し１１０℃、５kg／ｃｍ２の条件で３分間加熱・加圧して硬質状のシートを加工する。
（３）上記（１）によって使用した石英斑岩粉末の遠赤外線の波長、放射発散量並びに放射率はきわめて高く、マイナスイオンの発生量についても同様である。
（４）遠赤外線放射シートの発熱基材温度の伝導効果は、下記の表１に通りであり、シートを挿入することにより２５〜３０％の加熱エネルギーロスを解消することが立証されている。
【表１】
2007327219.tif 000003
【実施例２】
【００１５】
腰痛、間接痛、肩痛、生活習慣病などの介護・療法用ベッドの床構成を、木質ベッド床材、家庭電源使用の加熱電気シート、遠赤外線・マイナスイオン放射シートを積層したボ−ドとし、介護・療法用ベッドとした。
主構成材は次の通りである。
（１）木質ベッド床材
長期使用、介護、療法用に適したベッドの構造は、丈夫さ、美しさ、癒しに連なる
香りを考慮し、脚、枠材の全てをヒノキ集成材とした。
ベッド下地：  厚さ ３０ｍｍ、  幅  ９００ｍｍ、  長さ  １,８２０ｍｍ
ベッド脚材：  １００ｍｍ角、高さ３５０ｍｍ
ベッド枠材：  ４５ｍｍ×１００ｍｍ×９００ｍｍ
（２）加熱基材      
線画(糸状)発熱体ヒーターとし、温度センサー、過昇防止センサ−、サーモス
タット内蔵で、商用電源１００Ｖ、２００Ｖを使用した。
（３）遠赤外線・マイナスイオン放射シート
石英斑岩粉末４０μパウダーと、エチレン酢酸ビニル樹脂を、重量比７０:８０で
混合攪拌し、４００g／ｍ２を木棉寒冷紗の両面に塗布し、更に、塗布面上に 
４０g／ｍ２のオレフィンシートを積層し、１１０℃・６kg／ｃｍ２の条件で５分間
加熱・加圧して硬質シートとする。
更に、ベッド使用を条件にしたシートとして、この硬質シート１０枚をイソシアネ
ート系のビニルウレタン樹脂接着剤を各シート上に１８０g／ｍ２の量スプレッダ
で塗布し、１１０℃６kg／ｃｍ２の条件で１０分間加圧、加熱した厚い硬質シート
した。
（４）このようにして、厚さ３０ｍｍ、幅９００ｍｍ、長さ１,８２０ｍｍのボード状のシートを上記(２)の加熱ヒーター上に積層し、家庭電源を使用してボード温度を４０℃にコントロールし、療法用ベッドとし、岩盤浴に準じて使用することを可能とした。
【実施例３】
【００１６】
（１）介護、療法用のベッドを目的とし、石英斑岩４０μ粉末と、セメントの重量比とを 
７６：２６とし、粉末状で混合した後、水１０％を加えて混合攪拌し石粉セメント
とした。
（２）深さ１０ｍｍ、セル穴径３０ｍｍのハニカムボードのセル穴へ粉末セメントを均一
に圧入し、乾燥室にて加熱硬化した。
（３）上記（２）により加工した厚さ１０ｍｍ、幅６００ｍｍ、長さ１,８２０ｍｍの石
粉セメントハニカムボードを実施例２と同様に加熱シート上に積層し、介護、療法
用ベッドとして使用した。
（４）この粉末セメントボードは、重量が大きいため、岩盤浴と同様に、脚付ベッドではなく床ベッドとして使用することが望ましいようにおもわれる。
なお、このボードの遠赤外線放射量は、岩盤浴利用の石材より２０％程度多く計測された。
【実施例４】
【００１７】
図１に示すように、屋根面の雪の積雪を防除するため、屋根面に設置した加熱シート上に遠赤外線放射熱伝導シ−トを積層し、効率的に融雪を実施する。
主構成材は次の通りである。
図１は、本発明の積層材を屋根構造に適用した屋根構造の概略図である。
図中、１０は母屋、１１はタルキ、１２は野地板、１３は防水用アスファルト含浸ルーフイング、１４は加熱シート、１５は熱伝導シート、１６はカラー鉄板等の屋根材、１７は積雪を示すものである。
次に、上記構成の組み立て詳細について説明する。
前記屋根構成の野地板１２は、９ミリメートル厚さ、５プライの構造用合板からなり、タルキ１１上面に釘打ち施工する。
そして、野地板１２上全面に防水用アスファルト含浸ルーフイング(２.２kg／ｍ２)１３を工具によって固定施工する。
更に、アスファルトルーフィング１３上に、電気式線面発熱体（家庭用商用電気ＡＣ  
２００Ｖ使用、温度センサー、過昇防止センサー、サーモスタット内臓）をポリエステルフィルム、アルミ箔防水二重加工した加熱シート１４を、加熱シート１４上の釘穴に従って野地板１２へ釘止め施工する。
さらには、前記加熱シート１４上に、石英斑岩粉末（重量比１００）、水性ビニルウレタン樹脂（重量比１００）、専用硬化剤（重量比１０）を混合して、グラスウール織りシートを芯材とし、両面へ２６０g／ｍ２を塗布し、更にその両面へポリエチレンフィルム４０g／ｍ２を積層し、温度１１０℃、圧力５ｋｇ／ｍ２の条件で５分間加熱・加圧して硬質シート状とした耐水性の遠赤外線放射熱伝導シート１５を積層する。
最後に、前記耐水性の遠赤外線放射熱伝導シ−ト１５上に屋根材１６を施工し、融雪屋根を構成した。
このようにして施工構成された屋根は、遠赤外線放射熱伝導シート１５を介して屋根材１６の上面に積もった雪を融雪すると共に、従来の融雪構造を備えた屋根構成に比較して５０〜６０％のランニングコスト低減が達成された。
【図面の簡単な説明】
【００１８】
【図１】本発明の積層材を屋根構造に適用した第４実施例を示す屋根構造の概略図である。
【符号の説明】
【００１９】
１０    母屋
１１    タルキ
１２    野地板
１３    防水用アスファルト含浸ルーフイング  
１４    加熱シート
１５    熱伝導シート
１６    カラー鉄板等の屋根材  
１７    積雪          
【図１】
2007327219.tif 000004